(57)【特許請求の範囲】
【請求項１】
高圧配電線路を開閉する開閉器と、開閉器を自動操作および遠方操作するための制御器と、制御器に電源を供給する電源変圧器と、これらを収納する外箱から成り、開閉器にはブッシングと機器直結端末を取り付け、ケーブルを介して、高圧配電線路と開閉器および電源変圧器を接続する高圧自動開閉器装置において、開閉器に設けるブッシングを主回路ブッシングのみとし、前記主回路ブッシングと嵌合構造を有する２本のＴ型機器直結型端末を、接続ブッシングを用いて直列に配し、前記主回路ブッシングに取り付け、前記２本のＴ型機器直結型端末のうち前記主回路ブッシング側のＴ型機器直結型端末を主回路端末としケーブルを介して高圧配電線路と接続し、一方のＴ型機器直結型端末を電源変圧器端末としケーブルを介して電源変圧器と接続することを特徴とする高圧自動開閉器装置。
【請求項２】
高圧配電線路を開閉する開閉器と、開閉器を自動操作および遠方操作するための制御器と、制御器に電源を供給する電源変圧器と、これらを収納する外箱から成り、開閉器にはブッシングと機器直結端末を取り付け、ケーブルを介して、高圧配電線路と開閉器および電源変圧器を接続する高圧自動開閉器装置において、開閉器に設けるブッシングを主回路ブッシングのみとし、前記主回路ブッシングと嵌合構造を有するＴ型機器直結型端末を、前記主回路ブッシングに取り付け、Ｌ型機器直結型端末を、接続ブッシングを用いてＴ型機器直結型端末と直列に配してＴ型機器直結型端末に取り付け、Ｔ型機器直結型端末を主回路端末としケーブルを介して高圧配電線路と接続し、Ｌ型機器直結型端末を電源変圧器端末としケーブルを介して電源変圧器と接続することを特徴とする高圧自動開閉器装置。
【発明の詳細な説明】
【０００１】
【発明の属する技術分野】
本発明は、高圧自動開閉器装置に関する。
【０００２】
【従来の技術】
図５は従来の高圧自動開閉器装置の構成を示し、（ａ）は正面図、（ｂ）は側面断面図、図６は従来の高圧自動開閉器装置の機器直結型端末接続部分の構成を示す断面図である。図５において、高圧自動開閉器装置１０１は、開閉器１０３と制御器１０４と電源変圧器１０５を外箱１０２に収納し、開閉器１０３には、直線型機器直結型端末１０７の絶縁筒１０７ａとの嵌合面を有する主回路ブッシング１０６と、Ｌ型機器直結型端末１０９の絶縁筒１０９ａとの嵌合面を有する電源ブッシング１０８を設けている。主回路ブッシング１０６は、直線型機器直結型端末１０７と主回路ケーブル１０７ｂを介して高圧配電線路に接続し、電源ブッシング１０８は、Ｌ型機器直結型端末１０９と電源ケーブル１０９ｂを介して電源変圧器１０５に接続している。主回路ブッシング１０６と主回路ケーブル１０７ｂおよび電源ブッシング１０８と電源ケーブル１０９ｂの接続についてより具体的に説明すると、図６に示すように、主回路ケーブル１０７ｂと接続された直線型機器直結型端末１０７の端子１１２は、チューリップコンタクト１１３を介して主回路ブッシング１０６の導体１０６ａに接続される。また、電源ケーブル１０９ｂと接続されたＬ型機器直結型端末１０９の端子１０９ｃは、チューリップコンタクト１７ａを介して電源ブッシング１０８の導体１０８ａに接続される。開閉器１０３は、ブッシング貫通部の増加により低下する気密の信頼性を確保するために、主回路ブッシング１０６と電源ブッシング１０８をエポキシ樹脂などの絶縁材料により一体に成型し、樹脂内部で導体１０６ａと導体１０８ａは接続されている。開閉器１０３は、直線型機器直結型端末１０７を主回路ブッシング１０６に接続することにより、主回路ケーブル１０７ｂを介して高圧配電線路と接続する。一方、電源変圧器１０５は、Ｌ型機器直結型端末１０９を電源ブッシング１０８に接続することにより、電源ケーブル１０９ｂを介して高圧配電線路に接続する。
【０００３】
入力側の直線型機器直結型端末１０７を通じて開閉器１０３に供給された電力は、制御器によって開閉制御される図示しない接点部を通過し再び出力側の直線型機器直結型端末１０７を通じて高圧配電線路に送られるとともに、電源ブッシング１０８、Ｌ型機器直結型端末１０９、電源ケーブル１０９ｂを通じて電源変圧器１０５に送られ、変圧されて、制御器１０４に電源として供給される。
【０００４】
【発明が解決しようとする課題】
上述のように従来技術の高圧自動開閉器装置においては、開閉器に主回路ブッシングと電源ブッシングを設け、それぞれのブッシングを一体に成型して設けているために、絶縁材料の増加による重量増加や、ブッシング構造が複雑になる等の問題があった。
【０００５】
本発明においては、絶縁材料が少なく軽量でブッシング構造のシンプルな高圧自動開閉器装置を提供することを目的としている。
【０００６】
【課題を解決するための手段】
本発明の請求項１は上記の課題を解決するために、開閉器に設けるブッシングを主回路ブッシングのみとし、２本のＴ型機器直結型端末を、接続ブッシングを用いて主回路ブッシングに取り付ける。２本のＴ型機器直結型端末のうち、主回路ブッシング側のＴ型機器直結型端末を主回路端末とし、ケーブルを介して高圧配電線路と接続し、一方のＴ型機器直結型端末を電源変圧器端末とし、ケーブルを介して電源変圧器と接続することを特徴とする。
【０００７】
本発明の請求項２は上記の課題を解決するために、開閉器に設けるブッシングを主回路ブッシングのみとし、Ｔ型機器直結型端末を主回路ブッシングに取り付け、Ｌ型機器直結型端末を、接続ブッシングを用いてＴ型機器直結型端末に取り付ける。Ｔ型機器直結型端末を主回路端末とし、ケーブルを介して高圧配電線路と接続し、Ｌ型機器直結型端末を電源変圧器端末とし、ケーブルを介して電源変圧器と接続することを特徴とする。
【０００８】
【発明の実施の形態】
図１は本発明の請求項１の一実施の形態例を示す高圧自動開閉器装置の構成図であり、（ａ）は正面図、（ｂ）は側面断面図、図２は本発明の高圧自動開閉器装置の機器直結型端末接続部分の構成を示す断面図、図３は本発明の高圧自動開閉器装置の一実施の形態例を示す結線図である。図１において、高圧自動開閉器装置１は、開閉器３と制御器４と電源変圧器５を外箱２に収納し、開閉器３には、特開平９−２８９０４９公報にある公知の機器直結型端末のような、主回路端末として用いるＴ型機器直結型端末７の絶縁筒７ａとの嵌合構造を有する主回路ブッシング６を設けている。開閉器３は、Ｔ型機器直結型端末７を主回路ブッシング６に嵌合接続し、主回路ケーブル７ｂを介して高圧配電線路に接続し、電源変圧器５は、電源ケーブル９ｂと、電源変圧器端末として用いるＴ型機器直結型端末９を、接続ブッシング１１を用いて、主回路ブッシング６に接続したＴ型機器直結型端末７に接続することによって、主回路ケーブル７ｂを介して高圧配電線路に接続する。
【０００９】
高圧配電線路と主回路ブッシング６および電源変圧器５の接続についてより具体的に説明すると、図２に示すように、主回路ケーブル７ｂと接続されたＴ型機器直結型端末７の端子１２は、ワッシャ１３を介して頭部にねじを持つねじ付きボルト１４により主回路ブッシング６の導体６ａに接続される。ねじ付きボルト１４は、電源変圧器５の定格電流を通電するに十分な抵抗値の導電体である。Ｔ型機器直結型端末７の絶縁筒７ａおよび電源ケーブル９ｂが接続されたＴ型機器直結型端末９の絶縁筒９ａとの嵌合面を有する接続ブッシング１１は、前記ねじ付きボルト１４の頭部に設けられたねじに嵌合する導体１０をＴ型機器直結型端末７の絶縁筒７ａと同一軸線上の位置に有し、前記導体１０をねじ付ボルト１４の頭部に設けられたねじにねじ込むことによりＴ型機器直結型端末７に接続される。Ｔ型機器直結型端末９の端子１２は、ワッシャ１３を介して頭部にねじを持つねじ付きボルト１４により接続ブッシング１１の導体１０に接続される。また、Ｔ型機器直結型端末９の開口した嵌合面の絶縁のため、Ｔ型機器直結型端末９に、Ｔ型機器直結型端末９の絶縁筒９ａとの嵌合面を有し、ねじ付ボルト１４に設けられたねじに嵌合する絶縁栓１５をねじ込むことにより取り付ける。
【００１０】
図３に示すように、入力側のＴ型機器直結型端末７を通じて供給された電力は、開閉器３の制御器によって開閉制御された接点部１８を通過し再び出力側のＴ型機器直結型端末７を通じて高圧配電線路に送られるとともに、Ｔ型機器直結型端末９、電源ケーブル９ｂを通じて電源変圧器５に送られ、変圧されて、制御器４に電源として供給される。
【００１１】
図４は本発明の請求項２の一実施の形態例を示す高圧自動開閉器装置の構成図であり、本発明の高圧自動開閉器装置の機器直結型端末接続部分の構成を示す断面図である。高圧自動開閉器装置１は、請求項１に示す発明と同様に、開閉器３と制御器４と電源変圧器５を外箱２に収納し、開閉器３にはＴ型機器直結型端末７の絶縁筒７ａとの嵌合構造を有する主回路ブッシング６を設けている。図４において、主回路ブッシング６は、嵌合接続されるＴ型機器直結型端末７と主回路ケーブル７ｂを介して高圧配電線路に接続し、電源変圧器５は、電源ケーブル１０９ｂと、電源変圧器端末として用いるＬ型機器直結型端末１０９を、接続ブッシング１６を用いて、主回路ブッシング６に接続したＴ型機器直結型端末７に接続することによって、主回路ケーブル７ｂを介して高圧配電線路に接続する。
【００１２】
接続ブッシング１６は、Ｔ型機器直結型端末７の絶縁筒７ａとの嵌合面と、Ｌ型機器直結型端末１０９の絶縁筒１０９ａとの嵌合面を有し、絶縁筒７ａとの嵌合側の端部にねじ付きボルト１４の頭部に設けられたねじに嵌合するねじ部１７ｂと、絶縁筒１０９ａとの嵌合側の端部にＬ型機器直結型端末１０９の端子１０９ｃと嵌合するチューリップコンタクト１７ａを設けた導体１７を有している。
【００１３】
高圧配電線路と主回路ブッシング６および電源変圧器５の接続についてより具体的に説明すると、主回路ケーブル７ｂと接続されたＴ型機器直結型端末７の端子１２は、ワッシャ１３を介して頭部にねじを持つねじ付きボルト１４により主回路ブッシング６の導体６ａに接続される。ねじ付きボルト１４は、電源変圧器５の定格電流を通電するに十分な抵抗値の導電体である。接続ブッシング１６は、ねじ付きボルト１４の頭部に導体１７のねじ部１７ｂをねじ込むことにより、接続される。Ｌ型機器直結型端末１０９の端子１０９ｃは、チューリップコンタクト１７ａを介して接続ブッシング１６の導体１７に接続される。開閉器３は、Ｔ型機器直結型端末７を主回路ブッシング６に取り付けることにより、主回路ケーブル７ｂを介して高圧配電線路と接続する。一方、電源変圧器５は、Ｌ型機器直結型端末１０９を接続ブッシング１６に取り付けることにより、電源ケーブル１０９ｂとＴ型機器直結型端末７および主回路ケーブル７ｂを介して高圧配電線路に接続する。
【００１４】
【発明の効果】
本発明によれば、高圧配電線路と開閉器および電源変圧器を接続するに必要なブッシングを別々に設ける必要が無いので、ブッシング構造がシンプルな高圧自動開閉器装置とすることができる。
【図面の簡単な説明】
【図１】本発明の請求項１の一実施の形態例を示す高圧自動開閉器装置の構成図であり、（ａ）は正面図、（ｂ）は側面断面図である。
【図２】本発明の請求項１の一実施の形態例を示す高圧自動開閉器装置のＴ型機器直結型端末接続部分の構成を示す断面図である。
【図３】本発明の請求項１の一実施の形態例を示す高圧自動開閉器装置の結線図である。
【図４】本発明の請求項２の一実施の形態例を示す高圧自動開閉器装置のＴ型機器直結型端末接続部分の構成を示す断面図である。
【図５】従来の高圧自動開閉器装置の一例を示す構成図であり、（ａ）は正面図、（ｂ）は側面断面図を示す。
【図６】従来の機器直結型端末の構成を示す断面図である。
【符号の説明】
１  高圧自動開閉器装置
２  外箱
３  開閉器
４  制御器
５  電源変圧器
６  主回路ブッシング
６ａ  導体
７  Ｔ型機器直結型端末
７ａ  絶縁筒
７ｂ  主回路ケーブル
９  Ｔ型機器直結型端末
９ａ  絶縁筒
９ｂ  電源ケーブル
１０  導体
１１  接続ブッシング
１２  端子
１３  ワッシャ
１４  ねじ付きボルト
１５  絶縁栓
１６  接続ブッシング
１７  導体
１７ａ  チューリップコンタクト
１７ｂ  ねじ部
１８  接点部
１０１  高圧自動開閉器装置
１０２  外箱
１０３  開閉器
１０４  制御器
１０５  電源変圧器
１０６  主回路ブッシング
１０６ａ  導体
１０７  直線型機器直結型端末
１０７ａ  絶縁筒
１０７ｂ  主回路ケーブル
１０８  電源ブッシング
１０８ａ  導体
１０９  Ｌ型機器直結型端末
１０９ａ  絶縁筒
１０９ｂ  電源ケーブル
１０９ｃ  端子
１１２  端子
１１３    チューリップコンタクト
【図１】
0003641969.tif 000002
【図２】
0003641969.tif 000003
【図３】
0003641969.tif 000004
【図４】
0003641969.tif 000005
【図５】
0003641969.tif 000006
【図６】
0003641969.tif 000007